(57)【要約】【課題】本発明は反射型ディスプレイおよびこれを用いた電子ペンシステムを提供する。【解決手段】本発明の反射型ディスプレイは、前記反射型ディスプレイを構成するピクセルを用いて位置情報を提供するための情報パターンが形成されており、前記情報パターンは仮想の格子線とマークとを含む。
2015522873.tif 000002
【特許請求の範囲】
【請求項１】
反射型ディスプレイであって、
前記反射型ディスプレイを構成するピクセルを用いて位置情報を提供するための情報パターンが形成されており、前記情報パターンは仮想の格子線とマークとを含む反射型ディスプレイ。
【請求項２】
前記仮想の格子線はピクセルアレイに傾いて形成される、請求項１に記載の反射型ディスプレイ。
【請求項３】
前記仮想の格子線はピクセルアレイに４５度の角度に傾いて形成される、請求項１に記載の反射型ディスプレイ。
【請求項４】
前記マークは、前記反射型ディスプレイに入射される赤外線を吸収するピクセルである、請求項１に記載の反射型ディスプレイ。
【請求項５】
前記マークは、各ピクセルに加えられる電圧調節によって前記仮想の格子線上に配列される、請求項１に記載の反射型ディスプレイ。
【請求項６】
前記ピクセルは前記加えられる電圧に応じてグレースケールが調節され、前記マークのグレースケールは前記反射型ディスプレイ上に情報を表示するためのピクセルのグレースケールより４〜５段階さらに暗く調節される、請求項５に記載の反射型ディスプレイ。
【請求項７】
前記マークのグレースケールは周囲のピクセルのグレースケールに応じて自動調節される、請求項１に記載の反射型ディスプレイ。
【請求項８】
前記マークのグレースケールは周囲のピクセルのグレースケールより４〜５段階さらに暗く自動調節される、請求項７に記載の反射型ディスプレイ。
【請求項９】
反射型ディスプレイ、および
前記情報パターンを認知して前記反射型ディスプレイ上にグラフィック情報を表示するための信号を転送する電子ペンを含み、
前記反射型ディスプレイを構成するピクセルには位置情報を提供するための情報パターンが形成されており、前記情報パターンは仮想の格子線と複数のマークとを含む電子ペンシステム。
【請求項１０】
前記反射型ディスプレイは、電気泳動方式、ＭＥＭＳ方式およびエレクトロウェッティング方式のいずれかの方式で駆動される、請求項９に記載の電子ペンシステム。
【請求項１１】
前記電子ペンは、前記情報パターンを認知して前記反射型ディスプレイ上にグラフィック情報を表示したり削除したりするための信号を転送する、請求項９に記載の電子ペンシステム。
【請求項１２】
前記電子ペンの一側に備えられ、前記グラフィック情報を表示するための情報パターンを認知する第１赤外線センサ、および
前記電子ペンの他側に備えられ、前記グラフィック情報を削除するための情報パターンを認知する第２赤外線センサを含む、請求項９に記載の電子ペンシステム。
【発明の詳細な説明】
【技術分野】
【０００１】
本発明は、反射型ディスプレイおよび電子ペンシステムに関し、より詳しくは、反射型ディスプレイを含んで実現される反射型ディスプレイおよびこれを用いた電子ペンシステムに関する。
【背景技術】
【０００２】
電子ペンシステムはアナログとデジタルが結合された新しい概念のペンであり、一般ペンのように紙に字を書けば、ペンに内蔵されたメモリに筆記した内容が格納され、これを再びイメージファイルの形態でコンピュータに転送して管理できるように作られたペンである。一般ペンで書いた文書もスキャナーでスキャンをしてイメージファイルの形態で格納することができるが、電子ペンで書いた文書はスキャン過程が必要なく、別途のプログラムにより文書を容易に管理できるのが長所である。初期に開発された電子ペンはコンピュータと連結しなければ使用することができなかった。すなわち、電子ペンを使おうとすれば、常にコンピュータの電源をつけておかなければならず、またコンピュータの近くで使わなければならない不便さがあった。さらにコンピュータに格納する場合、イメージファイルの解像度が低くて内容を正確に把握し難いという短所があった。
【０００３】
現在は電子ペンに内蔵されたメモリに筆記した内容が格納されることにより、コンピュータと連結しさえすればいつでもデジタルデータに変換できる高機能の電子ペンも開発されている。さらには、電子ペンそのものに液晶ディスプレイが内蔵されているために筆記する内容を直接画面で確認できる製品をはじめとして、ケーブルに連結することなく無線でデータを転送できるデジタルペンも開発されており、ディスプレイ上の電子ペンの位置情報を検知できるタッチスクリーン方式や外部に検知センサを取り付けて電子ペンの移動軌跡を検知できる技術などが活用されている。
【０００４】
しかし、タッチスクリーン方式や、外部の検知センサを用いる方式は、ディスプレイの大きさが大きくなるほど、ディスプレイの単価が高くなり、電力消費が急増し、電子ペン軌跡の認識の正確度が落ちる。そのため、ディスプレイ表面に表面の位置情報を含む情報パターンを人間の視覚で判断し難いほど微細に形成し、光学センサを有する電子ペンを用いて情報パターンを検知してディスプレイ上での位置を決定できるようにする技術が常用化されている。
【０００５】
電子ペンに取り付けられた赤外線センサを用いて電子ペンのタッチ位置を検知し、検知された位置にグラフィック情報を表示する技術は韓国公開特許第１０−２０１０−０１３４３３１号の他にも多数公開されている。しかし、前記公開特許は透過型ディスプレイ上の位置情報を検知してグラフィック情報を表示するためのものであり、別途の赤外線光源が備えられなければならない。また、電子ペンが光学フィルム上のマークを認識するためには、光学フィルムが可視光線を反射できる材質で製作されなければならないので、これをディスプレイに付着する場合に全体的な画像の鮮明度と視認度が落ちるという問題があり、また、位置情報を提供するマークを別途の光学フィルムを用いて実現しなければならないという短所がある。
【発明の概要】
【発明が解決しようとする課題】
【０００６】
本発明が解決しようとする技術的課題は、反射型ディスプレイを構成するピクセルを用いて位置情報を提供できるので別途の光学フィルムが必要でなく、マークから算出した位置情報に応じて反射型ディスプレイ上にグラフィック情報を表示または削除することができ、外部光源を用いる反射型ディスプレイを利用することによって電力消耗を減らすことができ、様々なスマートラーニング（Ｓｍａｒｔ  Ｌｅａｒｎｉｎｇ）分野に応用可能な反射型ディスプレイおよびこれを用いた電子ペンシステムを提供することにある。
【課題を解決するための手段】
【０００７】
本発明の一態様によれば、反射型ディスプレイであって、前記反射型ディスプレイを構成するピクセルを用いて位置情報を提供するための情報パターンが形成されており、前記情報パターンは仮想の格子線とマークとを含む反射型ディスプレイを提供する。
【０００８】
前記仮想の格子線はピクセルアレイに傾いて形成されても良い。
前記仮想の格子線はピクセルアレイに４５度傾いて形成されても良い。
前記マークは前記反射型ディスプレイに入射される赤外線を吸収しても良い。
前記マークは、各ピクセルに加えられる電圧調節をよって前記仮想の格子線上に配列されても良い。
【０００９】
前記ピクセルは前記加えられる電圧に応じてグレースケールが調節され、前記マークのグレースケールは前記反射型ディスプレイ上に情報を表示するためのピクセルのグレースケールより４〜５段階さらに暗く調節されても良い。
【００１０】
前記マークのグレースケールは周囲のピクセルのグレースケールに応じて自動調節されても良い。
前記マークのグレースケールは周囲のピクセルのグレースケールより４〜５段階さらに暗く自動調節されても良い。
【００１１】
本発明の他の様態によれば、反射型ディスプレイ、および情報パターンを認知して前記反射型ディスプレイ上にグラフィック情報を表示するための信号を転送する電子ペンを含み、前記反射型ディスプレイを構成するピクセルを用いて位置情報を提供するための情報パターンが形成されており、前記情報パターンは仮想の格子線と複数のマークとを含む電子ペンシステムを提供する。
【００１２】
前記反射型ディスプレイは、電気泳動方式、ＭＥＭＳ方式およびエレクトロウェッティング方式のいずれかの方式で駆動されても良い。
前記電子ペンは、前記情報パターンを認知して前記反射型ディスプレイ上にグラフィック情報を表示したり削除したりするための信号を転送しても良い。
【００１３】
前記電子ペンの一側に備えられ、前記グラフィック情報を表示するための情報パターンを認知する第１赤外線センサ、および前記電子ペンの他側に備えられ、前記グラフィック情報を削除するための情報パターンを認知する第２赤外線センサを含んで構成されても良い。
【発明の効果】
【００１４】
本発明の反射型ディスプレイおよびこれを用いた電子ペンシステムは、反射型ディスプレイを構成するピクセルを用いて位置情報を提供できるので別途の光学フィルムやセンサなどの付随的な装置が必要でなく、マークから算出した位置情報に応じて反射型ディスプレイ上にグラフィック情報を表示または削除することができ、外部光源を用いる反射型ディスプレイを利用することによって電力消耗を減らすことができ、様々なスマートラーニング（Ｓｍａｒｔ  Ｌｅａｒｎｉｎｇ）分野に応用することができる。
【図面の簡単な説明】
【００１５】
【図１】本発明の一実施形態による反射型ディスプレイの斜視図である。
【図２】本発明の一実施形態による反射型ディスプレイの動作に対する概念図である。
【図３】本発明の一実施形態による反射型ディスプレイの模式図である。
【図４】本発明の一実施形態による反射型ディスプレイの概念図である。
【図５】本発明の一実施形態による情報パターンの説明図である。
【図６】本発明の一実施形態による情報パターンの概略図である。
【図７】本発明の他の実施形態による情報パターンの説明図である。
【図８】本発明の一実施形態による電子ペンシステムの構成図である。
【図９】本発明の他の実施形態による電子ペンシステムの構成図である。
【図１０】本発明の一実施形態による電子ペンシステムの画面構成図の一例である。
【図１１】本発明の一実施形態による電子ペンシステムの画面構成図の一例である。
【図１２】本発明の一実施形態による電子ペンシステムの画面構成図の他例である。
【図１３】本発明の一実施形態による電子ペンシステムの画面構成図のまた他の例である。
【発明を実施するための形態】
【００１６】
本発明は、様々な変更を加えることができ、色々な実施形態を有し得るが、特定の実施形態を図面に例示して説明することにする。但し、これは本発明を特定の実施形態に限定しようとするものではなく、本発明の思想および技術範囲に含まれる全ての変更、均等物乃至代替物を含むものとして理解しなければならない。
【００１７】
第２、第１などのように序数を含む用語は様々な構成要素を説明するのに用いることができるが、前記構成要素は前記用語によって限定されるものではない。前記用語は１つの構成要素を他の構成要素から区別する目的にのみ用いられる。例えば、本発明の権利範囲を逸脱せずに第２構成要素は第１構成要素と命名されても良く、同様に第１構成要素も第２構成要素と命名されても良い。および／またはという用語は複数の関連の記載された項目の組み合わせまたは複数の関連の記載された項目のうちのいずれか１つの項目を含む。
【００１８】
ある構成要素が他の構成要素に「連結されて」いるとか「接続されて」いると言及された時には、他の構成要素に直接的に連結されているかまたは接続されていても良いが、その間に他の構成要素が存在しても良いものとして理解しなければならない。反面、ある構成要素が他の構成要素に「直接連結されて」いるとか「直接接続されて」いると言及された時には、その間に他の構成要素が存在しないものとして理解しなければならない。
【００１９】
本出願に用いられた用語は単に特定の実施形態を説明するために用いられたものであって、本発明を限定しようとするものではない。単数の表現は文脈上明らかに違うように意味しない限り、複数の表現を含む。本出願において、「含む」または「有する」などの用語は明細書上に記載された特徴、数字、ステップ、動作、構成要素、部品またはこれらを組み合わせたものが存在するのを指定しようとするものであって、１つまたはそれ以上の他の特徴や数字、ステップ、動作、構成要素、部品またはこれらを組み合わせたものの存在または付加可能性を予め排除するものではないことを理解しなければならない。
【００２０】
異なるように定義されない限り、技術的または科学的な用語を含めて、ここで用いられる全ての用語は、本発明が属する技術分野で通常の知識を有した者にとって一般的に理解されるものと同一な意味を有している。一般的に用いられる辞典に定義されているような用語は関連技術の文脈上有する意味と一致する意味を持つものとして解釈されるべきであり、本出願で明らかに定義しない限り、理想的にまたは過度に形式的な意味として解釈されないものである。
【００２１】
以下、添付図面を参照して実施形態を詳細に説明するが、図面符号に関係なく同一または対応する構成要素は同一の参照番号を付し、これに関する重複説明は省略することにする。
【００２２】
本発明における反射型ディスプレイとは紙の役割ができるように作られた電子装置であり、ディスプレイ上にデジタルペン、電子ペンなどの装置を用いて自由に書いて消せる全てのディスプレイ装置を包括する意味として用いられる。
【００２３】
図１は、本発明の一実施形態による反射型ディスプレイの斜視図である。
図１を参照すれば、本発明の一実施形態による反射型ディスプレイ１０を構成するピクセルを用いて位置情報を提供するための情報パターンが形成されており、情報パターンは仮想の格子線２２とマーク２１とを含んで構成されることができる。
【００２４】
先ず、反射型ディスプレイは別途の光源を用いることなく外部光源を用いて情報を表示することができる。ディスプレイは光源の活用方式に応じて区分することができる。透過型ディスプレイはバックライトから出る光が全面に透過して情報が外部に表示される方式である一方、反射型ディスプレイは外部光源がディスプレイ面から全面方向に反射されるのでバックライトユニットなしで情報が外部に表示される。反射型ディスプレイは、電気泳動方式、ＭＥＭＳ（Ｍｉｃｒｏ−Ｅｌｅｃｔｒｏ−Ｍｅｃｈａｎｉｃａｌ  Ｓｙｓｔｅｍ）およびエレクトロウェッティング（Ｅｌｅｃｔｒｏｗｅｔｔｉｎｇ）方式のいずれかの方式で駆動される。電気泳動方式は球状粒子内の白黒物質が電気を加えることによって動いて白黒画像を表現することができる。エレクトロウェッティング方式は各画素の赤色、青色、緑色の染料オイルが広がるか集まる原理を利用して光を反射して色を表現することができる。ＭＥＭＳ方式は陽光が反射膜によって反射されて多彩な色を実現する原理をＭＥＭＳ方式に導入したものである。
【００２５】
図２は、本発明の一実施形態による反射型ディスプレイの動作に対する概念図である。反射型ディスプレイの駆動方式は前述したように大きく３つの方式に区分されるが、共通した動作原理は電圧の印加時と未印加時に黒（ｂｌａｃｋ）と百（ｗｈｉｔｅ）で表現される各々のピクセル２０の組み合わせを利用するということである。図２を参照すれば、ＶＰを印加電圧とすると、印加電圧以上の電圧を加えれば、負に帯電されたインク微粒子が表面に移動してピクセル２０は黒色で表示され、印加電圧以下の電圧を加えれば、インク微粒子が下方に移動して白色で表示され、このような方式によって文字やイメージを表示するようになる。また、ピクセル２０に加えられる電圧の大きさに応じて各々のピクセル２０は黒色と白色との間に存在する複数の無彩色で表現されることができ、これをグレースケール（Ｇｒｅｙ  Ｓｃａｌｅ）といい、黒色と白色との間に存在する無彩色の個数に応じて８段階グレースケール、１０段階グレースケール、１６段階グレースケール・・・ｎ段階グレースケールなどに区分される。
【００２６】
図３は、本発明の一実施形態による反射型ディスプレイの模式図である。図３を参照すれば、一列に配列されるピクセル２０に加える電圧を各々異なるようにすることで、各々のピクセル２０は複数のグレースケールで表示されることができる。各々のピクセル２０は外部光源を反射したり吸収したりする役割を果たし、グレースケールのうち白色に近いピクセル２０は外部光源を反射する役割をし、黒色に近いピクセル２０は外部光源を吸収する役割をすることによって、ディスプレイ上に文字やイメージを表示できるようになる。
【００２７】
マーク２１は、グレースケールにおいて文字やイメージのように反射型ディスプレイ上に情報を表示するためのピクセル２０より黒色側により近くに形成されるようにする。マーク２１は赤外線を適切なレベルで吸収できるようにグレースケールを調節する。赤外線領域は約７００〜１０，０００ｎｍとして近赤外線、中赤外線、遠赤外線に区分され、マーク２１は約７５０〜１３００ｎｍの近赤外線領域を吸収できるように形成されることが好ましい。
【００２８】
マーク２１はグレースケールにおいて反射型ディスプレイ上に情報を表示するためのピクセル２０のグレースケールより４〜５段階さらに暗い段階で表示されるように電圧を調節することによって電子ペン３０がマーク２１を認識できるようにする。または、反射型ディスプレイ上に情報を表示するためのピクセル２０のグレースケールはマーク２１のグレースケールより４〜５段階さらに明るい段階で表示されるように電圧を調節することによって電子ペン３０がマーク２１を認識できるようにする。電子ペン３０がマークを認識するためにはマーク２１と周辺ピクセルとの間に４〜５段階のグレースケールが維持されなければならず、本発明の一実施形態でにおいてはマーク２１または周囲のピクセル２０の電圧を調節することによってこれを実現しようとする。但し、電子ペン３０がマーク２１を認識できる限度内でのグレースケール差は本発明が実現しようとする目的の範囲内から逸脱しないものであり、電子ペン３０がマークを認識するためのグレースケール差の程度を変更することは本発明の範疇内に含まれるものであると言える。
【００２９】
また、マーク２１は周囲のピクセル２０のグレースケールに応じてグレースケールが自動的に調節されるようにすることができる。電子ペン３０の赤外線センサがマーク２１を認識しようとすれば外部光源を反射する下地が必要であり、一般的な場合、反射型ディスプレイの白地がこれを遂行することになる。しかし、反射型ディスプレイ上に文字やイメージを表示するピクセル２０の場合に外部光源を吸収するため、電子ペン３０の赤外線センサがマーク２１を認識できないかまたは文字やイメージを表示するピクセル２０と同一に認識する問題があり得る。したがって、マーク２１のグレースケールを周囲のピクセル２０または文字やイメージを表示するピクセル２０より４〜５段階さらに暗くすることによって電子ペン３０の赤外線センサがマーク２１を認識できるようにする。また、反射型ディスプレイの下地が明るい色で構成される場合は、マーク２１のグレースケールを灰色系列に明るく形成することによって反射型ディスプレイの全体的な明度を向上できるという長所がある。反射型ディスプレイの各ピクセルのグレースケールは内蔵されたＭＣＵによって制御される。
【００３０】
図４は、本発明の一実施形態による反射型ディスプレイの概念図である。図４を参照すれば、反射型ディスプレイ１０の表面は反射型ディスプレイを構成するピクセル２０を用いて位置情報を提供するマーク２１が形成されていることが分かる。各々のピクセルはグレースケールに応じて光を反射／吸収する役割を行うかまたは位置情報を提供するマーク２１の役割を行うことができる。図４において、白いピクセルは光を反射し、灰色ピクセルは光を吸収して、グラフィック情報を反射型ディスプレイ上に表示する役割をする。黒色ピクセルはマーク２１として仮想の格子線２２から一定の規則を持って位置情報を提供できるように配列され、肉眼では識別できないようになっている。
【００３１】
図５は本発明の一実施形態による情報パターンの説明図であり、図６は本発明の一実施形態による情報パターンの概略図である。
図５を参照すれば、反射型ディスプレイ１０には反射される光を用いて位置情報を提供するための情報パターンが形成されている。情報パターンは仮想の格子線２２と複数のマーク２１とを含み、各々のマーク２１は仮想の格子線２２の交点を中心に一定間隔をおいて形成される。各々のマーク２１は、仮想の格子線２２の交点を中心に形成される位置に応じて決定されるマーク値によって位置情報を提供することができる。マーク２１は仮想の格子線２２の交点を中心に一定間隔をおいて形成されることができ、各々のマーク値を有し、マーク値は少なくとも２個以上の互いに異なる数の組み合わせで構成されることができる。マーク２１の形態は円形、楕円形、多角形、直線など様々な形態を有するが、１つの反射型ディスプレイ１０には一種類のマーク２１が用いられることが好ましい。
【００３２】
例えば、図６を参照すれば、マーク２１は仮想の格子線２２の交点との関係に応じて４つの位置に存在することができ、マーク２１がａのように交点の右側に位置する場合にマーク値を「１」に、ｂのように上段に位置する場合にマーク値を「２」に、ｃのように左側に位置する場合にマーク値を「３」に、ｄのように下段に位置する場合にマーク値を「４」に示すことによって、仮想格子線２２の交点を中心にしたマーク２１の位置に応じて位置情報を提供することができる。
【００３３】
また、マーク２１は仮想の格子線２２上ではない対角線方向にも形成されることができ、１つの仮想格子線２２の交点に複数のマーク２１が形成されて位置情報を提供することができる。この場合、各々のマーク値はｘ座標とｙ座標に分離する方式で任意の座標で表現されることができ、位置情報は座標で表現されるマーク値から提供されることができる。
【００３４】
仮想の格子線２２は一定間隔をおいて横および縦に形成されることができる。格子線２２の間の距離は２５０〜３００μｍあるいはそれ以上の大きさに形成されることができ、マーク２１は仮想の格子線２２の交点を中心に１／４または１／８の距離をおいた地点に形成されることができる。または、マーク２１は仮想の格子線２２の交点を中心に２個以上のマーク２１が連関して形成されることができる。
【００３５】
電子ペン３０は、例えば、赤外線検知センサにより、６×６大きさの格子線２２上で縦横に６個ずつ３６個のマーク２１を認識した場合、各々のマーク値に応じた位置情報を算出し、それを用いて反射型ディスプレイ１０上での絶対位置を把握することができる。
【００３６】
図７ａおよび図７ｂは、本発明の他の実施形態による情報パターンの説明図である。図７ａおよび図７ｂを参照すれば、本発明の他の実施形態により実現された情報パターンの仮想の格子線２２はピクセルアレイと４５度傾いてその交点がピクセルの頂点上に形成されるようにし、マーク２１は仮想の格子線２２上に形成されていることが分かる。前述したように、仮想の格子線２２は２５０〜３００μｍの間隔に形成されることができるが、ピクセル２０の大きさが１００〜１５０μｍである場合、交点を中心にマーク２１が重なる現象が発生し得る。したがって、このような場合、仮想の格子線２２をピクセル２０が配列される方向、すなわち、ピクセルアレイと一定角度に傾いて形成すれば、交点を中心にマーク２１が重ならないように配列することができ、より大きいピクセルの反射型ディスプレイにおいてもパターンを実現することができる。格子線が形成される間隔はピクセルの大きさに応じて差があり、図７ｂの場合、図７ａに比べてピクセルの大きさが大きくて格子線が狭い間隔に形成されたことが分かる。
【００３７】
図８は、本発明の一実施形態による電子ペンシステムの構成図である。本発明の他の実施形態に他の電子ペンシステムは反射型ディスプレイ１０および情報パターンを認知して反射型ディスプレイ１０上にグラフィック情報を表示するための信号を転送する電子ペン３０を含み、反射型ディスプレイを構成するピクセル２０には位置情報を提供するための情報パターンが形成されており、情報パターンは仮想の格子線２２と複数のマーク２１とを含んで構成されることができる。
【００３８】
図８を参照すれば、電子ペン３０は一般的なペンの形態であっても良く、ペン先が形成されている部分には赤外線検知センサが備えられることができる。赤外線検知センサは反射型ディスプレイ１０に形成されたマーク２１を認識することができる。電子ペン３０は赤外線検知センサにより認識したマーク２１に応じてマーク値を求め、光学フィルム内での位置を算出することができる。電子ペン３０は、例えば、赤外線検知センサにより、６×６大きさの格子線２２上で縦横に６個ずつ３６個のマーク２１を認識した場合、各々のマーク値に応じた位置情報を算出して反射型ディスプレイ１０上での絶対位置を把握することができる。
【００３９】
電子ペン３０は算出した位置情報を有線または無線の通信方式で反射型ディスプレイ１０に転送し、反射型ディスプレイ１０は電子ペン３０から転送した位置情報の軌跡に沿ってグラフィック情報を外部に表示することができる。電子ペン３０と反射型ディスプレイ１０は有線で連結され、直列通信方式を用いてデータ転送をするか、またはブルートゥース、赤外線通信ＲＦ通信およびジグビー通信のいずれかの近距離無線通信方式を用いてデータ通信を行うことができる。
【００４０】
電子ペン３０にはＭＣＵ（Ｍｉｃｒｏ  Ｃｏｎｔｒｏｌｌ  Ｕｎｉｔ）が内蔵されてマーク値に応じた位置情報を解釈することができ、または電子ペン３０がマーク値を認識して反射型ディスプレイ１０に転送すれば、反射型ディスプレイ１０においてマーク値に応じて位置情報を算出し、それに応じたグラフィック情報を外部に表示するように実現することができる。電子ペン３０はマーク値に対するデータを外部のコンピュータまたはスマートフォンなどのプロセッサに転送することができ、外部のプロセッサはマーク値に応じた位置情報を解釈して電子ペン３０または反射型ディスプレイ１０に転送することができる。
【００４１】
電子ペン３０には赤外線および可視光線を放出できる光源（図示せず）が含まれることができる。電子ペン３０は自然光、蛍光灯などに含まれる赤外線を用いて反射型ディスプレイ１０に形成されたマーク２１を認識することができるが、マーク２１を認知するための十分な量の赤外線が提供されない暗い空間においては電子ペン３０そのものから放出される光を用いて反射型ディスプレイ１０は情報を表示し、電子ペン３０はマーク２１を認識することができる。
【００４２】
電子ペン３０には、電子ペン３０を用いて反射型ティスプルレに表示されるグラフィック情報を削除できる機能が含まれることができる。電子ペン３０のＭＣＵは、外部の入力に応じて赤外線検知センサが認識したマーク２１に対するマーク値または位置情報を転送しつつ、記録／削除フラグを同時に転送することができる。これは、デジタル信号で表現されるマーク値または位置情報に０／１のような１−ｂｉｔ信号を追加して実現されることができ、反射型ディスプレイ１０のＭＣＵは、転送を受けるビット信号が０である場合、該当する位置情報にグラフィック情報を表示するか、または転送を受けるビット信号が１である場合、該当する位置情報に表示されたグラフィック情報を削除することができる。
【００４３】
図９は、本発明の他の実施形態による電子ペンシステムの構成図である。本発明の他の実施形態による電子ペンシステムは反射型ディスプレイおよび情報パターンを認知して反射型ディスプレイ１０上にグラフィック情報を表示するための信号を転送する電子ペン３０を含み、反射型ディスプレイを構成するピクセルには位置情報を提供するための情報パターンが形成されており、電子ペンの一側にはグラフィック情報を表示するための情報パターンを認知する第１赤外線センサが備えられ、電子ペンの他側にはグラフィック情報を削除するための情報パターンを認知する第２赤外線センサが備えられる。
【００４４】
図９を参照すれば、電子ペン３０の一側には第１赤外線センサ３１が、他側には第２赤外線センサ３２が各々備えられることができ、好ましくは、第１赤外線センサはペン先が形成された部分の末端に備えられ、第２赤外線センサ３２はペン先の反対末端部に備えられることができる。第１赤外線センサ３１により検知されるマーク値または位置情報はビット信号０を共に転送することによって該当する位置情報にグラフィック情報を表示することができ、第２赤外線センサ３２により検知されるマーク値または位置情報はビット信号１を共に転送することによって該当する位置情報に表示されたグラフィック情報を削除するように実現することができる。
【００４５】
電子ペン３０の内部にはその他の通信手段のための装置、マイクおよびスピーカーなどの様々な機能を遂行できる装置が内蔵されることができ、電子ペン３０に内蔵されたＭＣＵによって動作が制御される。また、電子ペン３０のペン先部分にはインクが含まれているので一般的なペンの機能を行うことができ、情報パターンが形成された反射型ディスプレイを用いるノート、ボード、電子黒板上などに用いることができる。
【００４６】
図１０〜図１２は、本発明の一実施形態による電子ペンシステムの画面構成図である。
図１０を参照すれば、本発明の一実施形態による電子ペンシステムは、反射型ディスプレイ１０を含む電子本（ｅ−ｂｏｏｋ）システムと連動して画面に表示される情報にメモやアンダーラインをひく方式で活用されることができる。これは、電子本だけでなく、反射型ディスプレイで実現されるデジタル教科書、電子黒板、スマートフォンのような端末装置にも活用されることができる。また、上記で列挙した反射型ディスプレイで実現される装置にデータベースおよび通信装置を付加して電子ペン３０で表示された情報だけを別途に抽出して格納することができ、通信装置を用いて他端末装置などに転送するように実現することができる。
【００４７】
図１１を参照すれば、本発明の一実施形態による電子ペンシステムは、反射型ディスプレイを含む電子本システムと連動して電子ペン３０の接触地点に応じてタッチスクリーン方式で命令が入力されるように実現されることができる。電子ペン３０は反射型ディスプレイ上に形成されるマーク２１を認識するため、マーク値に応じて算出される位置情報を電気的信号に転換すれば、反射型ディスプレイに内蔵されるＭＣＵは電子ペン３０が接触した地点に位置した命令を遂行するように制御することになる。このような動作原理により、電子本の場合、ページをめくったりブックマークを表示したりするなどの動作を行うことができる。また、その他の反射型ディスプレイで実現される端末装置の場合は、電子ペン３０を用いて音楽や動画を再生する動作などを行うことができる。
【００４８】
図１２は、本発明の他の実施形態による電子ペンシステムの画面構成図である。図１２を参照すれば、電子ペンシステムの反射型ディスプレイ１０はノート、ダイアリーなどの機能を行うことができる。図１２においては空の画面上に電子ペン３０を用いて記録された文字だけが表示されているが、一般的なノートのように筆記機能を行うことができるように横線または縦線が提供されていても良い。
【００４９】
図１３は、本発明のまた他の実施形態による電子ペンシステムの画面構成図である。図１３を参照すれば、本発明のまた他の実施形態による電子ペンシステムは、反射型ディスプレイ１０を含む電子本システムと連動して画面に表示される情報にメモやアンダーラインをひく方式で活用されることができる。これは、電子本だけでなく、反射型ディスプレイで実現されるデジタル教科書、電子黒板、スマートフォンのような端末装置にも活用されることができる。また、上記で列挙した反射型ディスプレイで実現される装置にデータベースおよび通信装置を付加して電子ペン３０で表示された情報だけを別途に抽出して格納することができ、通信装置を用いて他端末装置などに転送するように実現することができる。
【００５０】
本実施形態に用いられる「〜部」という用語はソフトウェアまたはＦＰＧＡ（ｆｉｅｌｄ−ｐｒｏｇｒａｍｍａｂｌｅ  ｇａｔｅ  ａｒｒａｙ）またはＡＳＩＣのようなハードウェア構成要素を意味し、「〜部」はある役割を果たす。但し、「〜部」はソフトウェアまたはハードウェアに限定される意味ではない。「〜部」はアドレッシングできる格納媒体にあるように構成されても良く、１つまたはそれ以上のプロセッサを再生させるように構成されても良い。したがって、一例として「〜部」は、ソフトウェア構成要素、オブジェクト指向ソフトウェア構成要素、クラス構成要素およびタスク構成要素のような構成要素と、プロセス、関数、属性、プロシージャ、サブルーチン、プログラムコードのセグメント、ドライバ、ファームウェア、マイクロコード、回路、データ、データベース、データ構造、テーブル、アレイ、および変数を含む。構成要素と「〜部」の中から提供される機能は、さらに小さい数の構成要素および「〜部」で結合されるか、追加の構成要素と「〜部」にさらに分離されても良い。それのみならず、構成要素および「〜部」はデバイスまたはセキュアマルチメディアカード内の１つまたはそれ以上のＣＰＵを再生させるように実現されることもできる。
【００５１】
上記では本発明の好ましい実施形態を参照して説明したが、該当技術分野の熟練した当業者であれば、下記の特許請求の範囲に記載された本発明の思想および領域から逸脱しない範囲内で本発明を多様に修正および変更できることを容易に理解することができる。
【図１】
2015522873.tif 000003
【図２】
2015522873.tif 000004
【図３】
2015522873.tif 000005
【図４】
2015522873.tif 000006
【図５】
2015522873.tif 000007
【図６】
2015522873.tif 000008
【図７ａ】
2015522873.tif 000009
【図７ｂ】
2015522873.tif 000010
【図８】
2015522873.tif 000011
【図９】
2015522873.tif 000012
【図１０】
2015522873.tif 000013
【図１１】
2015522873.tif 000014
【図１２】
2015522873.tif 000015
【図１３】
2015522873.tif 000016
【国際調査報告】
2015522873.tif 000017
2015522873.tif 000018
2015522873.tif 000019
2015522873.tif 000020